(57)【要約】【課題】摩擦パッドと当接したシートの空送を低減できる装置を提供する。【解決手段】当該装置は、記録用紙１２を給送向き８７に給送する第２給送ローラ７５と、前面４５に記録用紙１２を支持する第１支持部９１と、先端部に第２給送ローラ７５を回転可能に支持し矢印７４の向きに回動可能な第２給送アーム７６と、第１支持部９１を第２給送ローラ７５側へ付勢する第１コイルばね９５と、第２給送ローラ７５と対向し、前面４５と共に記録用紙１２を支持する摩擦パッド９３と、摩擦パッド９３を支持する第２支持部９２と、第２支持部９２を第２給送ローラ７５側へ付勢する第２コイルばね９６とを備える。第１支持部９１の第２給送ローラ７５から離間する方向への移動に連動して、第２支持部９２は、第２給送ローラ７５から離間する方向へ移動し、摩擦パッド９３を前面４５よりも第２給送ローラ７５から離間させる。【選択図】図６
2015067411.tif 000002
【特許請求の範囲】
【請求項１】
シートを給送向きに給送する給送ローラと、
シートを支持し、上記給送ローラに対して接近及び離間する方向に移動可能な第１支持部と、
一方の端部にて上記給送ローラを回転可能に支持し、上記一方の端部よりも上記給送向き上流側であり且つ上記第１支持部から離間した位置である他方の端部を軸として回動可能なアーム部と、
上記第１支持部を上記給送ローラ側へ付勢する第１付勢部材と、
上記給送ローラと対向する位置に設けられており、上記第１支持部のシート支持面よりも摩擦係数が大きく、且つ上記第１支持部と共にシートを支持する摩擦パッドと、
上記摩擦パッドを支持しており、上記給送ローラに対して接近及び離間する方向に移動可能な第２支持部と、
上記第２支持部を上記給送ローラ側へ付勢する第２付勢部材と、を備え、
上記第１支持部の上記第１付勢部材による付勢力に抗った上記給送ローラから離間する方向への移動に連動して、上記第２支持部は、上記第２付勢部材による付勢力に抗って上記給送ローラから離間する方向へ移動し、上記摩擦パッドを上記第１支持部のシート支持面よりも上記給送ローラから離間させる給送装置。
【請求項２】
上記第２支持部における上記摩擦パッドが設けられた部分は、上記第１支持部に対して上記給送ローラの反対側に設けられており、
上記第１支持部は、上記摩擦パッドを上記給送ローラに対して露出させる露出部を備える請求項１に記載の給送装置。
【請求項３】
上記第２支持部は、上記第１支持部よりも上記給送向き下流側に設けられ、上記摩擦パッドと上記第１支持部と共にシートを支持し、且つ上記給送向き下流端部を軸として回動することによって移動するものであり、
上記第２支持部よりも上記給送向き下流側に設けられており、上記給送ローラによって給送されたシートと当接して案内する案内部を更に備え、
上記案内部は、上記給送向きにおいて上記アーム部と対向しており、上記給送向き下流側が上流側よりも上記第２支持部のシート支持面から離間するように当該シート支持面に対して傾斜している請求項１または２に記載の給送装置。
【請求項４】
上記第１支持部は、上記給送向き上流端部を軸として回動することによって移動するものである請求項１から３のいずれかに記載の給送装置。
【請求項５】
上記第１支持部の上記給送向き下流側と、上記第２支持部の上記給送向き上流側とは、上記給送ローラに対して接近及び離間する方向において重畳して配置されており、
上記第１支持部の上記給送向き下流側は、上記第２支持部の上記給送向き上流側よりも上記給送ローラ側に位置する請求項４に記載の給送装置。
【請求項６】
上記アーム部を上記第１支持部側へ付勢する第３付勢部材をさらに備え、
上記第１付勢部材の付勢力と、上記第２付勢部材の付勢力とは、上記第３付勢部材の付勢力よりも大きい請求項１から５のいずれかに記載の給送装置。
【請求項７】
駆動源と、
上記駆動源からの駆動力を上記給送ローラに伝達する駆動伝達機構と、を更に備える請求項１から６のいずれかに記載の給送装置。
【請求項８】
上記第１支持部は、当該第１支持部のシート支持面の少なくとも一部に、当該シート支持面よりも摩擦係数が大きい補助摩擦パッドを備える請求項１から７のいずれかに記載の給送装置。
【請求項９】
上記補助摩擦パッドは、上記給送ローラに対して接近及び離間する方向において上記給送ローラと対向しない位置に設けられている請求項８に記載の給送装置。
【請求項１０】
上記給送ローラは、上記第１支持部と、上記第２支持部に支持された上記摩擦パッドとの双方と対向する請求項１から９のいずれかに記載の給送装置。
【発明の詳細な説明】
【技術分野】
【０００１】
本発明は、支持部に支持されたシートを給送する給送装置に関する。
【背景技術】
【０００２】
従来より、シートを支持する支持部を有し、支持部からシートを画像記録装置などの装置本体に給送可能な給送装置が知られている。給送装置には、支持部が複数枚のシートを重ねた状態で支持しており、給送ローラが支持部に支持されたシートのうち最上のものと当接して、当該シートを給送向きへ給送するものがある。
【０００３】
上述したような給送装置の一例としての特許文献１に開示された媒体送り装置では、支持部に重ねて支持されておりピックアップローラによって給送されたシートを、支持部よりも給送向き下流側に設けられ且つ支持部のシート支持面に対して傾斜した分離部と当接させる。これにより、仮に、シートが２枚以上重送されたとしても、重送されたシートは、分離部によって分離され、最も上側のシートだけを給送することができる。
【０００４】
一方、給送装置の問題点として、シートが給送されない所謂空送がある。これに対して、特許文献１に開示された媒体送り装置では、支持部を回動させることにより、シート支持面と分離部との角度を大きくすることができる。これにより、分離部のシートに対する搬送負荷を小さくすることができる。その結果、シートの空送の発生を低減させることができる。
【先行技術文献】
【特許文献】
【０００５】
【特許文献１】特開２０１１−１９００２９号公報
【発明の概要】
【発明が解決しようとする課題】
【０００６】
ところで、上述したような給送装置の多くには、支持部のシート支持面に、当該シート支持面よりも摩擦係数の大きい摩擦パッドが配置される。これにより、支持部に支持された最も下方のシートが、給送されにくくなるため、当該シートの上方に重ねられたシートと共に重送される可能性を低くすることができる。
【０００７】
しかしながら、摩擦パッドは、重送防止には役立つ一方、最も下方のシートを給送する際に空送の原因となってしまう。摩擦パッドは、最も下方のシートの上方に重ねられたシートが給送される際には、最も下方のシートが給送されにくくする効果がある一方で、最も下方のシート自身が給送される際には、当該最も下方のシートが給送されにくくなるという問題点がある。
【０００８】
上述した特許文献１に開示された媒体送り装置では、支持部を回動させることができるが、支持部を回動させたところで、最も下方のシートが摩擦パッドに当接している状態を変えることができない。つまり、特許文献１に開示された媒体送り装置では、最も下方のシートを給送する際に摩擦パッドに起因する空送の発生を防止することができない。
【０００９】
本発明は、上記問題に鑑みてなされたものであり、その目的は、摩擦パッドと当接した状態で支持部に支持されたシートの、当該摩擦パッドに起因する空送の可能性を低くすることができる手段を提供することにある。
【課題を解決するための手段】
【００１０】
(1)  本発明に係る給送装置は、シートを給送向きに給送する給送ローラと、シートを支持し、上記給送ローラに対して接近及び離間する方向に移動可能な第１支持部と、一方の端部にて上記給送ローラを回転可能に支持し、上記一方の端部よりも上記給送向き上流側であり且つ上記第１支持部から離間した位置である他方の端部を軸として回動可能なアーム部と、上記第１支持部を上記給送ローラ側へ付勢する第１付勢部材と、上記給送ローラと対向する位置に設けられており、上記第１支持部のシート支持面よりも摩擦係数が大きく、且つ上記第１支持部と共にシートを支持する摩擦パッドと、上記摩擦パッドを支持しており、上記給送ローラに対して接近及び離間する方向に移動可能な第２支持部と、上記第２支持部を上記給送ローラ側へ付勢する第２付勢部材と、を備える。上記第１支持部の上記第１付勢部材による付勢力に抗った上記給送ローラから離間する方向への移動に連動して、上記第２支持部は、上記第２付勢部材による付勢力に抗って上記給送ローラから離間する方向へ移動し、上記摩擦パッドを上記第１支持部のシート支持面よりも上記給送ローラから離間させる。
【００１１】
本構成によれば、シートは第１支持部のシート支持面と摩擦パッドとによって支持されている。この状態で、給送ローラが回転すると、通常、シートは給送向きに給送される。しかし、摩擦パッドの摩擦抵抗によるシートへの搬送負荷が大きい場合、給送ローラが回転しても、シートは給送されない。
【００１２】
この場合、給送ローラがシートを給送向きに給送させるための回転力は、アーム部が給送ローラを第１支持部側へ押しつけるための回動力となる。これにより、給送ローラが第１支持部へ押しつけられると、第１支持部は、第１付勢部材による付勢力に抗って給送ローラから離間する方向へ移動する。すると、第２支持部は、第２付勢部材による付勢力に抗って給送ローラから離間する方向へ移動する。この際、第２支持部の移動により、摩擦パッドは、第１支持部のシート支持面よりも多く給送ローラから離間される。これにより、第２支持部に支持された摩擦パッドは、第１支持部に支持されたシートから離間する。その結果、第１支持部に支持されたシートに対する搬送負荷を小さくすることができ、給送ローラの回転によってシートを給送することができる。
【００１３】
(2)  上記第２支持部における上記摩擦パッドが設けられた部分は、上記第１支持部に対して上記給送ローラの反対側に設けられている。上記第１支持部は、上記摩擦パッドを上記給送ローラに対して露出させる露出部を備える。
【００１４】
本構成によれば、第１支持部が露出部を備えているため、摩擦パッドがシートを支持する位置を、第１支持部の存在に関わらず柔軟に決定することができる。
【００１５】
(3)  上記第２支持部は、上記第１支持部よりも上記給送向き下流側に設けられ、上記摩擦パッドと上記第１支持部と共にシートを支持し、且つ上記給送向き下流端部を軸として回動することによって移動するものでいる。本発明に係る給送装置は、上記第２支持部よりも上記給送向き下流側に設けられており、上記給送ローラによって給送されたシートと当接して案内する案内部を更に備える。上記案内部は、上記給送向きにおいて上記アーム部と対向しており、上記給送向き下流側が上流側よりも上記第２支持部のシート支持面から離間するように当該シート支持面に対して傾斜している。
【００１６】
本構成によれば、第２支持部を回動させることによって、摩擦パッドを第１支持部に支持されたシートから離間させることができると共に、第２支持部のシート支持面の案内部に対する角度を大きくすることができる。そして、上記角度を大きくすることにより、案内部のシートに対する搬送負荷を小さくすることができる。その結果、案内部に起因するシートの空送発生の可能性を低くすることができる。
【００１７】
(4)  上記第１支持部は、上記給送向き上流端部を軸として回動することによって移動するものである。
【００１８】
本構成によれば、第１支持部を簡易な構成で移動させることができる。
【００１９】
(5)  上記第１支持部の上記給送向き下流側と、上記第２支持部の上記給送向き上流側とは、上記給送ローラに対して接近及び離間する方向において重畳して配置されている。上記第１支持部の上記給送向き下流側は、上記第２支持部の上記給送向き上流側よりも上記給送ローラ側に位置する。
【００２０】
本構成によれば、第１支持部が給送ローラに押されて回動すると、第２支持部が第１支持部に押されて移動する。つまり、第１支持部の移動に連動して第２支持部が移動する構成を簡易な構成で実現することができる。
【００２１】
(6)  上記アーム部を上記第１支持部側へ付勢する第３付勢部材をさらに備える。上記第１付勢部材の付勢力と、上記第２付勢部材の付勢力とは、上記第３付勢部材の付勢力よりも大きい。
【００２２】
本構成によれば、第１付勢部材の付勢力と、第２付勢部材の付勢力とは、第３付勢部材の付勢力よりも大きい。そのため、シートが給送ローラによって適切に給送されているにもかかわらず、第１支持部及び第２支持部が、第３付勢部材によって第１支持部側へ付勢されたアーム部に押されることによって、移動してしまう事態を回避することができる。
【００２３】
(7)  駆動源と、上記駆動源からの駆動力を上記給送ローラに伝達する駆動伝達機構と、を更に備えていてもよい。
【００２４】
(8)  上記第１支持部は、当該第１支持部のシート支持面の少なくとも一部に、当該シート支持面よりも摩擦係数が大きい補助摩擦パッドを備える。
【００２５】
本構成によれば、摩擦パッドと補助摩擦パッドとの双方がシートと当接しているため、当該シートに対する搬送負荷が大きくなる。これにより、第１支持部に複数枚のシートが重ねた状態で支持されているときに、摩擦パッドと補助摩擦パッドと当接しているシートが重ねられたシートと共に重送してしまう可能性を低くすることができる。
【００２６】
(9)  上記補助摩擦パッドは、上記給送ローラに対して接近及び離間する方向において上記給送ローラと対向しない位置に設けられている。
【００２７】
本構成によれば、補助摩擦パッドは給送ローラと対向していないため、第２支持部の移動によって摩擦パッドが第１支持部に支持されたシートから離間した場合に、補助摩擦パッドによる当該シートに対する搬送負荷がそれ程大きくならない。これにより、当該シートの空送の可能性を低くすることができる。
【００２８】
(10)  上記給送ローラは、上記第１支持部と、上記第２支持部に支持された上記摩擦パッドとの双方と対向する。
【００２９】
本構成によれば、第２支持部の移動によって摩擦パッドが移動した場合に、給送ローラが摩擦パッド側に移動しようとしても、当該移動は第１支持部によって阻まれる。これにより、摩擦パッドを給送ローラから確実に離間させることができる。
【発明の効果】
【００３０】
本発明によれば、摩擦パッドと当接した状態で第１支持部に支持されたシートの、当該摩擦パッドに起因する空送の可能性を低くすることができる。
【図面の簡単な説明】
【００３１】
【図１】図１は、本発明の実施形態の一例である複合機１０の斜視図である。
【図２】図２は、プリンタ部１１の内部構造を模式的に示す縦断面図である。
【図３】図３は、第１支持部９１と第２支持部９２と摩擦パッド９３と補助摩擦パッド９４とを模式的に示す平面図である。
【図４】図４は、第１支持部９１と第２支持部９２を模式的に示す底面図である。
【図５】図５は、第１支持部９１及び第２支持部９２を模式的に示す斜視図である。
【図６】図６は、図３のＡＢ−ＡＢ断面図であり、（Ａ）には通常状態が示されており、（Ｂ）には第１支持部９１と第２支持部９２とが第２給送ローラ７５から離間する向きに回動した状態が示されている。
【図７】図７は、変形例における第２給送トレイ７１と第２給送部７２との主要部を模式的に示す断面図であり、（Ａ）には通常状態が示されており、（Ｂ）には第１支持部９１と第２支持部９２とが第２給送ローラ７５から離間する向きに回動した状態が示されている。
【図８】図８は、変形例における第２給送トレイ７１と第２給送部７２との主要部を模式的に示す断面図であり、（Ａ）には通常状態が示されており、（Ｂ）には第１支持部９１と第２支持部９２とが第２給送ローラ７５から離間する向きに回動した状態が示されている。
【発明を実施するための形態】
【００３２】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、回動カバー２３が設けられている側を奥側（背面）として前後方向８が定義され、複合機１０を奥側とは反対側の手前側（正面）から見て左右方向９が定義される。
【００３３】
［複合機１０の全体構造］
図１に示されるように、複合機１０は、薄型の直方体に概ね形成されており、下部にプリンタ部１１が設けられている。複合機１０は、ファクシミリ機能及びプリント機能などの各種の機能を有している。複合機１０は、プリント機能として、インクジェット方式で記録用紙１２（図２参照、本発明のシートの一例）の片面に画像を記録する機能を有している。なお、複合機１０は、記録用紙１２の両面に画像を記録するものであってもよい。また、複合機１０は、インクジェット方式以外の方式、例えば電子写真方式で記録用紙１２に画像を記録するものであってもよい。
【００３４】
［第１給送トレイ２０］
図２に示されるように、プリンタ部１１の下部には、第１給送トレイ２０が設けられている。第１給送トレイ２０は、前後方向８に移動することによって、プリンタ部１１に対して装着及び脱抜可能である。第１給送トレイ２０は、上側が開放された箱形状の部材である。第１給送トレイ２０の底板２２には、記録用紙１２が重ねられた状態で支持可能である。第１給送トレイ２０の前側且つ上側には、排出トレイ２１が支持されている。排出トレイ２１の上面には、後述する記録部２４によって画像を記録された記録用紙１２が排出される。
【００３５】
［第１給送部１６］
図２に示されるように、第１給送部１６は、第１給送トレイ２０の底板２２の上方に設けられている。第１給送部１６は、第１給送ローラ２５と、第１給送アーム２６と、第１駆動伝達機構２７とを備えている。第１給送ローラ２５は、第１給送アーム２６の先端部で回転可能に軸支されている。第１給送アーム２６は、先端部から前方斜め上方に延びている。第１給送アーム２６は、基端部に設けられた第１支軸２８を中心として、矢印２９の方向に回動する。これにより、第１給送ローラ２５は、第１給送トレイ２０の底板２２または第１給送トレイ２０に支持された記録用紙１２に対して、当接及び離間が可能である。
【００３６】
第１給送ローラ２５は、複数のギヤが噛合されてなる第１駆動伝達機構２７によって、搬送用モータ（不図示）の駆動力が伝達されて回転する。これにより、第１給送トレイ２０の底板２２に載置された記録用紙１２のうち、第１給送ローラ２５と当接している最も上側の記録用紙１２が、後述する案内部材３０を経て搬送路６５へ給送される。なお、第１給送ローラ２５は、搬送用モータとは別に設けられたモータから駆動力を付与されて回転してもよい。
【００３７】
案内部材３０は、プリンタ部１１の筐体１４に設けられている。案内部材３０は、筐体１４に取り付けられていてもよいし、筐体１４と一体成形されていてもよい。図２に示されるように、案内部材３０は、第１給送トレイ２０よりも後側に設けられている。なお、案内部材３０は、第１給送トレイ２０に設けられていてもよい。
【００３８】
案内部材３０は、後側が前側よりも上方となるように底板２２の上面３１に対して傾斜した傾斜面３２を有する。傾斜面３２は、案内部材３０の前側の面である。傾斜面３２は、第１給送部１６によって後向きに給送された記録用紙１２と当接して、当該記録用紙１２を傾斜面３２に沿って案内する。このとき、第１給送ローラ２５によって複数枚の記録用紙１２が給送される所謂重送が発生した場合であっても、傾斜面３２は、重送された複数枚の記録用紙１２のうち最も上側の記録用紙１２を、他の記録用紙１２から分離して後述する搬送路６５の湾曲部３３へ送る。
【００３９】
［搬送路６５］
図２に示されるように、第１給送トレイ２０の後端部から搬送路６５が延出されている。搬送路６５は、湾曲部３３と直線部３４とを備える。湾曲部３３は、所定間隔を隔てて互いに対向する外側ガイド部１８と内側ガイド部１９とによって形成されている。直線部３４は、記録部２４が配置されている位置において所定間隔を隔てて互いに対向する記録部２４とプラテン４２とによって形成されている。また、搬送ローラ対５９よりも後側の直線部３４は、直線ガイド部材８９、９０によって形成されている。各ガイド部１８、１９、８９、９０は、図２における紙面と直交する方向である左右方向９に延設されている。
【００４０】
第１給送トレイ２０に支持された記録用紙１２は、第１給送ローラ２５によって湾曲部３３を下方から上方へＵターンするように搬送されて搬送ローラ対５９に到達する。搬送ローラ対５９に挟持された記録用紙１２は、直線部３４を記録部２４へ向けて前後方向８に搬送される。記録部２４の直下に到達した記録用紙１２は、記録部２４により画像を記録される。画像記録が行われた記録用紙１２は、排出ローラ対４４によって直線部３４を前後方向８に搬送されて排出トレイ２１に排出される。以上より、記録用紙１２は、図２に一点鎖線の矢印で示される搬送向き１５に沿って搬送される。
【００４１】
［記録部２４］
図２に示されるように、記録部２４は、直線部３４の上側に設けられている。記録部２４の下側且つ記録部２４と対向する位置には、プラテン４２が設けられている。プラテン４２は、記録用紙１２を支持する部材である。記録部２４は、キャリッジ４０とキャリッジ４０に搭載された記録ヘッド３８とを備えている。
【００４２】
キャリッジ４０は、前後方向８に間隔を空けて配置された２つのガイドレール（不図示）によって左右方向９へ往復移動可能に支持されている。キャリッジ４０は、キャリッジ駆動用モータ（不図示）から駆動力が伝達されて左右方向９へ往復移動する。記録ヘッド３８には、インクカートリッジ（不図示）からインクが供給される。記録ヘッド３８の下面には、ノズル３９が形成されている。キャリッジ４０が左右方向９に移動しているときに、記録ヘッド３８は、ノズル３９からインク滴をプラテン４２に向けて吐出する。これにより、搬送向き１５に搬送されてプラテン４２に支持された記録用紙１２に画像が記録される。
【００４３】
［搬送ローラ対５９及び排出ローラ対４４］
図２に示されるように、搬送路６５における記録部２４よりも搬送向き１５の上流側には、搬送ローラ対５９が配置されている。搬送路６５における記録部２４よりも搬送向き１５の下流側には、排出ローラ対４４が配置されている。搬送ローラ対５９は、互いに当接された搬送ローラ６０とピンチローラ６１とを備えている。排出ローラ対４４は、互いに当接された排出ローラ６２と拍車６３とを備えている。各ローラ６０、６１、４４及び拍車６３の軸線は、左右方向９に延びている。搬送ローラ６０及び排出ローラ６２は、搬送用モータ（不図示）から駆動力が伝達されて回転する。これにより、各ローラ対５９、４４は、挟持された記録用紙１２を搬送向き１５に搬送する。
【００４４】
［給送装置７０］
複合機１０は、給送装置７０を備えている。給送装置７０は、図２に示されるように、回動カバー２３と、第２給送トレイ７１と、第２給送部７２と、下側ガイド部材９７と、を備えている。第２給送トレイ７１は、第１支持部９１と、第２支持部９２と、摩擦パッド９３と、補助摩擦パッド９４（図３参照）と、第１コイルばね９５（本発明の第１付勢部材の一例）と、第２コイルばね９６（本発明の第２付勢部材の一例）と、を備えている。第２給送部７２は、第２給送ローラ７５（本発明の給送ローラの一例）と、第２給送アーム７６（本発明のアーム部の一例）と、第３コイルばね７７（本発明の第３付勢部材の一例）と、給送用モータ７８（本発明の駆動源の一例）と、第２駆動伝達機構７９（本発明の駆動伝達機構の一例）と、を備えている。
【００４５】
［回動カバー２３］
図１に示されるように、回動カバー２３は、複合機１０の筐体１４とともに、複合機１０の背面を構成している。回動カバー２３は、複合機１０の背面の左右方向９における中央部に配置されている。図２に示されるように、回動カバー２３は、軸８１を中心として矢印８０、８２の方向に回動可能に、筐体１４或いはプリンタ部１１のフレーム（不図示）によって支持されている。回動カバー２３は、複合機１０の背面に対して起立した起立姿勢（図１に示される姿勢）と、複合機１０の背面に対して傾倒した傾倒姿勢（図２に示される姿勢）との間で回動する。回動カバー２３は、第２給送トレイ７１の後側に配置された後側カバー板８８と、後側カバー板８８の左右両端部から前方へ突出した一対の側板（不図示）とを備えている。後側カバー板８８は、第２給送トレイ７１の後側を覆っており、一対の側板は、第２給送トレイ７１の右側及び左側を覆っている。
【００４６】
［第１支持部９１］
図２に示されるように、第１支持部９１は、回動カバー２３の後側カバー板８８の前方に配置されている。図２〜図５に示されるように、第１支持部９１は、概ね板状の部材である。第１支持部９１の前面４５には、記録用紙１２が重ねられた状態で支持可能である。重ねられた記録用紙１２のうち、第２給送ローラ７５側の記録用紙１２は、第２給送ローラ７５と当接する。当該記録用紙１２は、第２給送ローラ７５が回転することによって、給送向き８７に給送される。
【００４７】
第１支持部９１の給送向き８７上流端部の左右両端から左右方向９に沿って突出した突起４６が、回動カバー２３の一対の側板に設けられた孔（不図示）に挿入される。これにより、第１支持部９１は、突起４６を軸として回動カバー２３に対して相対的に矢印５４、５５（図６参照）の方向に回動可能に、回動カバー２３に支持されている。つまり、第１支持部９１は、第２給送ローラ７５に対して接近及び離間する方向である矢印５４、５５の方向に移動可能である。また、第１支持部９１は、回動カバー２３が矢印８０、８２の方向に回動すると、回動カバー２３と一体に回動する。
【００４８】
図３〜図５に示されるように、第１支持部９１は、給送向き８７下流端から上流側へ凹んだ凹部４７（本発明の露出部の一例）を備えている。凹部４７は、第１支持部９１における左右方向９の中央部に設けられている。凹部４７には、第２支持部９２に支持された摩擦パッド９３が配置される。これにより、第２給送ローラ７５側から第１支持部９１を見た場合において、つまり図３の状態において、摩擦パッド９３は露出されている。換言すると、凹部４７は、摩擦パッド９３を第２給送ローラ７５に対して露出させる。
【００４９】
図３に示されているように、第１支持部９１の前面４５には、不図示の凹部が設けられている。そして、当該凹部には、直方体形状の補助摩擦パッド９４が埋め込まれている。なお、補助摩擦パッド９４の形状は任意である。例えば、補助摩擦パッド９４は、前面４５の全域に亘って設けられるような形状であってもよい。つまり、第１支持部９１は、前面４５の少なくとも一部に、補助摩擦パッド９４を備える。補助摩擦パッド９４は、凹部４７の右側及び左側に一つずつ、配置されている。また、補助摩擦パッド９４は、摩擦パッド９３と給送向き８７において同じ位置に配置されている。補助摩擦パッド９４は、樹脂などで形成された第１支持部９１の前面４５（本発明の第１支持部のシート支持面の一例）よりも摩擦係数の大きい素材、例えばコルクで形成されている。
【００５０】
図２に示されるように、第１支持部９１と回動カバー２３の後側カバー板８８との間には、第１コイルばね９５が配置されている。第１コイルばね９５の一端は、第１支持部９１の後面４８に取り付けられている。第１コイルばね９５の他端は、後側カバー板８８に取り付けられている。
【００５１】
第１支持部９１よりも第２給送ローラ７５側には、第１支持部９１の前面４５の左右両端部（第１支持部９１に支持された記録用紙１２よりも右側及び左側）と当接する第１ストッパ（不図示）が設けられている。第１支持部９１が第１ストッパと当接した状態において、第１コイルばね９５は自然長よりも縮んだ状態である。これにより、第１コイルばね９５は、第１支持部９１を第２給送ローラ７５側へ付勢する。但し、第１支持部９１は、第１ストッパによって、図２に示される位置よりも第２給送ローラ７５側への回動を規制されている。
【００５２】
［第２支持部９２］
図２〜図５に示されるように、第２支持部９２は、回動カバー２３の後側カバー板８８の前方であって、第１支持部９１よりも給送向き８７下流側に配置されている。第２支持部９２は、概ね板状の部材である。第２支持部９２における後述する本体部５１の前面４９（本発明の第２支持部のシート支持面の一例）は、記録用紙１２を重ねた状態で支持可能である。つまり、前面４９は、第１支持部９１の前面４５と共に記録用紙１２を支持する。本実施形態では、前面４５、４９は同一平面上に位置するが、前面４５、４９の間には、記録用紙１２の支持及び給送に支障がない程度の段差があってもかまわない。
【００５３】
第２支持部９２の給送向き８７下流端部の左右両端から左右方向９に沿って突出した突起５０が、回動カバー２３の一対の側板に設けられた孔（不図示）に挿入される。これにより、第２支持部９２は、突起５０を軸として回動カバー２３に対して相対的に矢印５６、５７（図６参照）の方向に回動可能に、回動カバー２３に支持されている。つまり、第２支持部９２は、矢印８０、８２の方向に回動することによって、第２給送ローラ７５に対して接近及び離間する方向である矢印５６、５７の方向に移動可能である。また、第２支持部９２は、回動カバー２３が矢印８０、８２の方向に回動すると、回動カバー２３と一体に回動する。
【００５４】
図３〜図５に示されるように、第２支持部９２は、第１支持部９１よりも給送向き８７下流側に設けられた本体部５１と、本体部５１の給送向き８７上流端部の左右方向９中央部から給送向き８７上流側へ延びた第１延設部５２と、本体部５１の給送向き８７上流端部における第１延設部５２よりも右側及び左側から給送向き８７上流側へ延びた第２延設部５３と、を備えている。つまり、第１延設部５２及び第２延設部５３は、第２支持部９２の給送向き８７下流側の部分を構成している。なお、本体部５１と、第１延設部５２と、第２延設部５３と、は、一体に形成されている。
【００５５】
図２及び図５に示されるように、第１延設部５２及び第２延設部５３は、本体部５１よりも後側において給送向き８７上流側へ延びており、且つ第１支持部９１よりも後方（第１支持部９１に対して第２給送ローラ７５の反対側）に位置している。また、図２〜図５に示されるように、第１延設部５２は及び第２延設部５３の突出先端は、給送向き８７において第１支持部９１の給送向き８７下流端よりも上流側に位置している。また、図３及び図４に示されるように、第１延設部５２は、左右方向９において第１支持部９１の凹部４７と同位置である。
【００５６】
以上より、第１支持部９１の給送向き８７下流側と、第２支持部９２の給送向き８７上流側とは、第２給送ローラ７５に対して接近及び離間する方向である矢印５４〜５７の方向において重畳して配置されている。また、第１支持部９１の給送向き８７下流側は、第２支持部９２の給送向き８７上流側よりも第２給送ローラ７５側に位置する。
【００５７】
図３に示されるように、第１延設部５２の前面５８における第１支持部９１の凹部４７と対向する位置には、不図示の凹部が設けられている。そして、当該凹部には、直方体形状の摩擦パッド９３が埋め込まれている。つまり、第２支持部９２は、摩擦パッド９３を支持している。なお、摩擦パッド９３の形状は任意である。摩擦パッド９３は、樹脂などで形成された第１支持部９１の前面４５、及び上述した補助摩擦パッド９４よりも摩擦係数の大きい素材で形成されている。
【００５８】
図２に示されるように、摩擦パッド９３は、第１延設部５２から凹部４７を経て第１支持部９１の前面４５まで、或いは当該前面４５よりも若干第２給送ローラ７５側まで突出している。これにより、上述したように、第２給送ローラ７５側から第１支持部９１を見た場合において、摩擦パッド９３は露出されている。その結果、摩擦パッド９３は、本体部５１の前面４９と第１支持部９１の前面４５と共に記録用紙１２を支持する。
【００５９】
図２に示されるように、第２支持部９２と回動カバー２３の後側カバー板８８との間には、第２コイルばね９６が配置されている。第２コイルばね９６の一端は、第２支持部９２の後面６４に取り付けられている。第２コイルばね９６の他端は、後側カバー板８８に取り付けられている。
【００６０】
第２支持部９２よりも第２給送ローラ７５側には、第２支持部９２の前面４９の左右両端部（第２支持部９２に支持された記録用紙１２よりも右側及び左側）と当接する第２ストッパ（不図示）が設けられている。第２支持部９２が第２ストッパと当接した状態において、第２コイルばね９６は自然長よりも縮んだ状態である。これにより、第２コイルばね９６は、第２支持部９２を第２給送ローラ７５側へ付勢する。但し、第２支持部９２は、第２ストッパによって、図２に示される位置よりも第２給送ローラ７５側への回動を規制されている。
【００６１】
［第２給送部７２］
図２に示されるように、第２給送ローラ７５は、第２給送トレイ７１の前方に配置されている。第２給送ローラ７５の軸は左右方向９に延びている。図３に示されるように、第２給送ローラ７５は、左右方向９に間隔を空けて２個設けられているが、第２給送ローラ７５の個数は、２個に限らない。
【００６２】
第２給送ローラ７５の左右方向９の内側部分は、矢印５４〜５７の方向において、摩擦パッド９３と対向している。また、第２給送ローラ７５の左右方向９の外側部分は、矢印５４〜５７の方向において、第１支持部９１の前面４５と対向している。つまり、第２給送ローラ７５は、第１支持部９１と摩擦パッド９３との双方と対向している。一方、第２給送ローラ７５は、矢印５４〜５７の方向において、補助摩擦パッド９４と対向していない。第２給送ローラ７５は、第２給送アーム７６の先端部（本発明の一方の端部の一例）で回転可能に軸支されている。
【００６３】
第２給送アーム７６は、先端部から給送向き８７上流側に向かい且つ第１支持部９１から離間した向きに延びている。第２給送アーム７６は、先端部に対して給送向き８７上流側の他端を基端部（本発明の他方の端部の一例）として、基端部に設けられた第２支軸６６を中心に、矢印６７の方向に回動する。これにより、第２給送ローラ７５は、第１支持部９１、第２支持部９２、及び摩擦パッド９３に支持された記録用紙１２に対して、当接及び離間が可能である。なお、第２支軸６６は、プリンタ部１１のフレーム（不図示）に回転可能に支持されているが、その位置は変動しない。
【００６４】
第２給送アーム７６の前側には、第３コイルばね７７が配置されている。第３コイルばね７７の一端は、第２給送アーム７６の前側に取り付けられている。第３コイルばね７７の他端は、プリンタ部１１のフレーム８５に取り付けられている。第３コイルばね７７は、第２給送ローラ７５が摩擦パッド９３と第１支持部９１の前面４５とに当接した状態において、自然長よりも縮んだ状態である。これにより、第３コイルばね７７は、第２給送アーム７６を第１支持部９１側へ付勢する。その結果、第２給送ローラ７５は、摩擦パッド９３及び前面４５、または、摩擦パッド９３と前面４５、４９とによって支持された記録用紙１２に圧接された状態となる。なお、記録用紙１２が存在しない状態の時には、第２給送ローラ７５は、摩擦パッド９３と前面４５、４９に圧接された状態となる。
【００６５】
第３コイルばね７７のばね定数は、第１コイルばね９５及び第２コイルばね９６のばね定数よりも小さい。つまり、第１コイルばね９５の第２給送ローラ７５側への付勢力と、第２コイルばね９６の第２給送ローラ７５側への付勢力とは、第３コイルばね７７の第１支持部９１側への付勢力よりも大きい。なお、付勢力の大小関係が上述したような関係であっても、第１支持部９１及び第２支持部９２は、第１ストッパ及び第２ストッパによって、第１ストッパ及び第２ストッパよりも第２給送ローラ側７５への移動を妨げられる。
【００６６】
プリンタ部１１には、第２給送ローラ７５に駆動力を付与する給送用モータ７８が配置されている。給送用モータ７８の駆動力は、複数のギヤが噛合されてなる第２駆動伝達機構７９によって、第２給送ローラ７５に伝達される。これにより、第２給送ローラ７５は、回転して、摩擦パッド９３と前面４５、４９とによって支持された記録用紙１２を給送向き８７に給送する。
【００６７】
なお、給送用モータ７８の配置位置は、図２に示される位置に限らない。また、第２駆動伝達機構７９のギヤ数は、図２に示される８個に限らない。また、第２駆動伝達機構７９は、ギヤ以外によって構成されていてもよい。例えば、第２駆動伝達機構７９は、給送用モータ７８の軸と第２支軸６６との間に架け渡されたベルトと、第２支軸６６と軸８３との間に架け渡されたベルトとで構成されていてもよい。
【００６８】
［下側ガイド部材９７］
下側ガイド部材９７は、第２支持部９２よりも給送向き８７下流側に設けられている。下側ガイド部材９７は、給送向き８７において、第２給送ローラ７５と対向する位置に設けられている。下側ガイド部材９７の上面６８（本発明の案内部の一例）は、前後方向８及び左右方向９に拡がる平面である。つまり、上面６８は、給送向き８７下流側が上流側よりも前面４９から離間するように前面４９に対して傾斜している。
【００６９】
第１支持部９１の前面４５及び第２支持部９２の前面４９によって支持される記録用紙１２の給送向き８７先端は、当該記録用紙１２が下側ガイド部材９７の上面６８と当接した状態で、上面６８と当接する。第２給送ローラ７５によって記録用紙１２の搬送が開始されると、上面６８は、当接した記録用紙１２を、上面６８に沿って搬送向き１５に案内する。下側ガイド部材９７の上面６８には、分離部材（不図示）が設けられている。従って、第２給送ローラ７５によって複数枚の記録用紙１２が給送される所謂重送が発生した場合であっても、上面６８は、重送された複数枚の記録用紙１２のうち第２給送ローラ７５と当接している記録用紙１２を、他の記録用紙１２から分離して搬送向き１５に案内する。また、下側ガイド部材９７によって案内された記録用紙１２を、湾曲部３３と直線部３４との間から直線部３４に向かうよう案内する上側ガイド部材９８が設けられている。記録用紙１２は、下側ガイド部材９７と上側ガイド部材９８とによって図２の矢印９９の向きに案内されて、直線部３４へ進入する。
【００７０】
なお、下側ガイド部材９７は、回動カバー２３に固定されており、上側ガイド部材９８は、プリンタ部１１のフレーム（不図示）に固定されている。なお、下側ガイド部材９７は、プリンタ部１１のフレームに固定されていてもよく、上側ガイド部材９８は、回動カバー２３に固定されていてもよい。
【００７１】
［第２給送トレイ７１及び第２給送部７２の動作］
以下、第２給送トレイ７１に記録用紙１２が一枚だけ支持されている状態の、第２給送トレイ７１及び第２給送部７２の動作について説明する。給送用モータ７８が駆動すると、図６（Ａ）に示されるように、第２給送ローラ７５が矢印６９の向きに回転する。これにより、通常、記録用紙１２は給送向き８７に給送される。
【００７２】
しかしながら、第２給送ローラ７５が記録用紙１２を給送向き８７に給送する力よりも、摩擦パッド９３、補助摩擦パッド９４、及び前面４５、４９による摩擦力が大きい場合、記録用紙１２は搬送されない。このとき、第２給送ローラ７５が矢印６９の向きに回転しようとする力は、第２給送アーム７６が矢印７４の向きへ回動する力へ変換される。これにより、第２給送ローラ７５は、記録用紙１２へ押しつけられる。つまり、第２給送ローラ７５は、当該記録用紙１２を介して摩擦パッド９３及び第１支持部９１を押す。
【００７３】
第２給送ローラ７５が第１支持部９１を押す力が第１コイルばね９５の付勢力よりも大きくなると、第２給送ローラ７５に押された第１支持部９１は、第１コイルばね９５による付勢力に抗って、突起４６を中心として矢印５５の向きへ回動する。これにより、第１支持部９１の給送向き８７下流側の部分は、第２支持部９２の第２延設部５３と当接して押す。第１支持部９１が第２支持部９２を押す力が第２コイルばね９６の付勢力よりも大きくなると、第１支持部９１に押された第２支持部９２は、第２コイルばね９６による付勢力に抗って、突起５０を中心として矢印５７の向きへ回動する。
【００７４】
このとき、第２支持部９２における摩擦パッド９３が配置された部分は、第１支持部９１よりも大きく回動する。つまり、第１支持部９１及び第２支持部９２の回動によって、摩擦パッド９３が、第１支持部９１の前面４５よりも、第２給送ローラ７５から大きく離間する。その結果、図６（Ｂ）に示されるように、第１支持部９１及び第２支持部９２の回動によって、前面４５と摩擦パッド９３とのうち、摩擦パッド９３のみが第２給送ローラ７５から離間する。
【００７５】
以上より、第１支持部９１の第１コイルばね９５による付勢力に抗った第２給送ローラ７５から離間する方向への移動に連動して、第２支持部９２は、第２コイルばね９６による付勢力に抗って第２給送ローラ７５から離間する方向へ移動し、摩擦パッド９３を第１支持部９１の前面４５よりも第２給送ローラ７５から離間させる。
【００７６】
図６（Ｂ）の状態でも、前面４５、４９及び補助摩擦パッド９４と記録用紙１２とは当接している。これにより、第２給送ローラ７５が記録用紙１２を給送向き８７に給送する際の抵抗が、補助摩擦パッド９４と前面４５、４９とによる摩擦力だけとなる。さらに、下側ガイド部材９７と第２支持部９２の前面４９とがなす角度は、第２支持部９２が回動するに伴って、大きくなる。これにより、下側ガイド部材９７が記録用紙１２に与える搬送抵抗が小さくなる。その結果、当該摩擦力が第２給送ローラ７５が記録用紙１２を給送向き８７に給送する力よりも小さくなると、記録用紙１２は第２給送ローラ７５によって給送向き８７に給送される。
【００７７】
その後、第２給送ローラ７５の回転が停止されると、第２給送アーム７６が矢印７４の向きへ回動する力は、第３コイルばね７７の付勢力のみとなる。そのため、第１支持部９１及び第２支持部９２は、それぞれ第１コイルばね９５及び第２コイルばね９６の付勢力によって、矢印５４、５６の向きに回動する。その結果、図６（Ａ）の状態に戻る。
【００７８】
［実施形態の効果］
本実施形態によれば、記録用紙１２は第１支持部９１の前面４５と摩擦パッド９３とによって支持されている。この状態で、第２給送ローラ７５が回転すると、通常、記録用紙１２は給送向き８７に給送される。しかし、摩擦パッド９３の摩擦抵抗による記録用紙１２への搬送負荷が大きい場合、第２給送ローラ７５が回転しても、記録用紙１２は給送されない。
【００７９】
この場合、第２給送ローラ７５が記録用紙１２を給送向き８７に給送させるための回転力は、第２給送アーム７６が第２給送ローラ７５を第１支持部９１側へ押しつけるための回動力となる。これにより、第２給送ローラ７５が第１支持部９１へ押しつけられると、第１支持部９１は、第１コイルばね９５による付勢力に抗って第２給送ローラ７５から離間する方向へ移動する。すると、第２支持部９２は、第２コイルばね９６による付勢力に抗って第２給送ローラ７５から離間する方向へ移動する。この際、第２支持部９２の移動により、摩擦パッド９３は、第１支持部９１の前面４５よりも多く第２給送ローラ７５から離間される。これにより、第２支持部９２に支持された摩擦パッド９３は、第１支持部９１に支持された記録用紙１２から離間する。その結果、第１支持部９１に支持された記録用紙１２に対する搬送負荷を小さくすることができ、第２給送ローラ７５の回転によって記録用紙１２を給送することができる。
【００８０】
また、本実施形態によれば、第１支持部９１が凹部４７を備えているため、摩擦パッド９３が記録用紙１２を支持する位置を、第１支持部９１の存在に関わらず柔軟に決定することができる。
【００８１】
また、本実施形態によれば、第２支持部９２が回動可能であるため、第２支持部９２を回動させることによって、摩擦パッド９３を第１支持部９１に支持された記録用紙１２から離間させることができると共に、第２支持部９２の前面４９の下側ガイド部材９７の上面６８に対する角度を大きくすることができる。そして、上記角度を大きくすることにより、上面６８の記録用紙１２に対する搬送負荷を小さくすることができる。その結果、上面６８に起因する記録用紙１２の空送発生の可能性を低くすることができる。
【００８２】
また、本実施形態によれば、第１支持部９１が回動可能に構成されているため、第１支持部９１を簡易な構成で移動させることができる。
【００８３】
また、本実施形態によれば、第１支持部９１が第２給送ローラ７５に押されて回動すると、第２支持部９２が第１支持部９１に押されて移動する。つまり、第１支持部９１の移動に連動して第２支持部９２が移動する構成を簡易な構成で実現することができる。
【００８４】
また、本実施形態によれば、第１コイルばね９５の付勢力と、第２コイルばね９６の付勢力とは、第３コイルばね７７の付勢力よりも大きい。そのため、記録用紙１２が第２給送ローラ７５によって適切に給送されているにもかかわらず、第１支持部９１及び第２支持部９２が、第３コイルばね７７によって第１支持部９１側へ付勢された第２給送アーム７６に押されることによって、移動してしまう事態を回避することができる。
【００８５】
また、本実施形態によれば、摩擦パッド９３と補助摩擦パッド９４との双方が記録用紙１２と当接しているため、当該記録用紙１２に対する搬送負荷が大きくなる。これにより、第１支持部９１に複数枚の記録用紙１２が重ねた状態で支持されているときに、摩擦パッド９３と補助摩擦パッド９４と当接している記録用紙１２が重ねられた記録用紙１２と共に重送してしまう可能性を低くすることができる。
【００８６】
また、本実施形態によれば、補助摩擦パッド９４は第２給送ローラ７５と対向していないため、第２支持部９２の移動によって摩擦パッド９３が第１支持部９１に支持された記録用紙１２から離間した場合に、補助摩擦パッド９４による当該記録用紙１２に対する搬送負荷がそれ程大きくならない。これにより、当該記録用紙１２の空送の可能性を低くすることができる。
【００８７】
また、本実施形態によれば、第２支持部９２の移動によって摩擦パッド９３が移動した場合に、第２給送ローラ７５が摩擦パッド９３側に移動しようとしても、当該移動は第１支持部９１によって阻まれる。これにより、摩擦パッド９３を第２給送ローラ７５から確実に離間させることができる。
【００８８】
［変形例］
上述の実施形態では、第１支持部９１は回動することによって移動したが、第１支持部９１は回動以外によって移動してもよい。例えば、図７に示されるように、第１支持部９１は前後方向８に沿って移動してもよい。なお、図７（Ａ）は、上述の実施形態の図６（Ａ）の状態に対応しており、図７（Ｂ）は、上述の実施形態の図６（Ｂ）に対応している。図７（Ｂ）では、移動する第１支持部９１に押されることによって、第２支持部９２は回動している。
【００８９】
また、上述の実施形態では、第２支持部９２は回動することによって移動したが、第１支持部９１と同様に、第２支持部９２も回動以外によって移動してもよい。
【００９０】
また、給送装置７０は、第３コイルばね９６を備えていなくてもよい。この場合、第２給送アーム７６は自重によって摩擦パッド９３及び第１支持部９１に押しつけられる。
【００９１】
また、上述の実施形態では、第２給送ローラ７５は、第１支持部９１と摩擦パッド９３との双方と対向していたが、摩擦パッド９３のみと対向していてもよい。
【００９２】
また、摩擦パッド９３の配置位置は、第２給送ローラ７５と少なくとも一部が対向していることを条件として、任意に設定可能である。
【００９３】
また、補助摩擦パッド９４は、第２給送ローラ７５と対向する位置に設けられていてもよい。つまり、第２給送ローラ７５は、摩擦パッド９３と補助摩擦パッド９４の双方と対向していてもよい。
【００９４】
また、給送装置７０は、補助摩擦パッド９４を備えていなくてもよい。この場合、摩擦パッド９３が第２給送ローラ７５から離間した状態において、第２給送ローラ７５が記録用紙１２を給送向き８７に給送する際の抵抗は、前面４５、４９による摩擦力となる。
【００９５】
また、第２支持部９２は、記録用紙１２を支持しなくてもよい。つまり、第１支持部９１と摩擦パッド９３のみで記録用紙１２を支持してもよい。このような構成は、例えば、図８に示されるように、第２支持部９２の全てを第１支持部９１よりも後方に配置することで実現可能である。図８では、第１支持部９１と第２支持部９２とは連結部８４において連結している。なお、図８（Ａ）は、上述の実施形態の図６（Ａ）の状態に対応しており、図８（Ｂ）は、上述の実施形態の図６（Ｂ）に対応している。図８（Ｂ）では、第１支持部９１の移動による連結部８４の移動によって、第２支持部９２は回動している。また、図８では、本発明の露出部として、上述の実施形態における凹部４７の代わりに開口８６が設けられている。
【００９６】
また、本発明の露出部の位置や形状は、上述した実施形態に限らない。例えば、本発明の露出部は、円形状や三角形状などであってもよいし、上述したように開口８６であってもよい。また、本発明の露出部が設けられる位置は、給送向き８７下流端部でなくてもよいし、左右方向９の中央部でなくてもよい。
【００９７】
また、第１支持部９１は、本発明の露出部を備えていなくてもよい。この場合、例えば、摩擦パッド９３は第１支持部９１よりも給送向き８７下流側に設けられる。
【００９８】
また、上述の実施形態では、第１支持部９１の給送向き８７下流側と第２支持部９２の給送向き８７上流側とが、矢印５４〜５７の方向において重畳して配置されていたが、このような構成に限らない。例えば、第１支持部９１と第２支持部９２とは重畳されていなくてもよい。この場合、第１支持部９１と第２支持部９２とはリンク機構などによって連結されることによって、第２支持部９２は第１支持部９１の移動に連動して移動可能となる。また、例えば、第２支持部９２の給送向き８７上流側以外の部分も、矢印５４〜５７の方向において第１支持部９１と重畳されていてもよい。このような構成の一例は、図８に示されている。
【００９９】
また、第１給送トレイ２０が、第２給送トレイ７１と同様の構成を有し、第２給送トレイ７１と同様に機能してもよい。また、第１給送部１６が、第２給送部７２と同様の構成を有し、第２給送部７２と同様に機能してもよい。また、案内部材３０が、下側ガイド部材９７と同様に機能してもよい。
【０１００】
なお、以上の変形例のいずれにおいても、以下の条件を満たすように、各部材の位置や大きさや動作が決定されることは言うまでもない。上記条件は、第１支持部９１の移動に連動して、第２支持部９２が移動する際、第２支持部９２に支持された摩擦パッド９３は、第１支持部９１の前面４５よりも、第２給送ローラ７５から大きく離間することである。
【符号の説明】
【０１０１】
１０・・・複合機
１２・・・記録用紙
７０・・・給送装置
７５・・・第２給送ローラ
７６・・・第２給送アーム
８７・・・給送向き
９１・・・第１支持部
９２・・・第２支持部
９３・・・摩擦パッド
９５・・・第１コイルばね
９６・・・第２コイルばね
【図１】
2015067411.tif 000003
【図２】
2015067411.tif 000004
【図３】
2015067411.tif 000005
【図４】
2015067411.tif 000006
【図５】
2015067411.tif 000007
【図６】
2015067411.tif 000008
【図７】
2015067411.tif 000009
【図８】
2015067411.tif 000010